(57)【特許請求の範囲】
【請求項１】
上枠と下枠と左右の縦枠を方形枠組みした窓枠に内障子と外障子を引違いに装着した引違い窓において、
前記内障子の最大持ち上げ量が内障子と下枠の掛かり代よりも大きく、内障子の落し込み量が内障子と上枠の重なり寸法よりも大きく、内下レールと外障子下部室内面との間の寸法が内障子の下部見込み寸法よりも大きいことを特徴とする内外し引違い窓。
【請求項２】
上枠、下枠、一方の縦枠に、内障子の室内面に圧着する内上横気密材、内下横気密材、内縦気密材が連続して装着され、
上枠、下枠、他方の縦枠に、外障子の室内面に圧着する外上横気密材、外下横気密材、外縦気密材が連続して装着され、
内障子の召合せ框に外障子の召合せ框の室内面に圧着する召合せ縦気密材が装着され、
内障子の召合せ框上部に、上摺動子を上下動自在に設け、この上摺動子に、上枠、外障子の召合せ框の室内面、内上横気密材、外上横気密材に圧着する上の気密材が設けられ、
内障子の召合せ下部に、下摺動子を上下動自在に設け、この下摺動子に、下枠、外障子の召合せ框の室内面、内下横気密材、外下横気密材に圧着する下の気密材が設けられ、
前記上摺動子、下摺動子は、クレセント錠と連動して上下動し、
クレセント錠を施錠状態とすると上摺動子がスプリングを介して上方、下摺動子がスプリングを介して下方にそれぞれ移動して上の気密材、下の気密材が圧着状態となり、クレセント錠を解錠状態とすると上摺動子が下方、下摺動子が上方にそれぞれ移動して上の気密材、下の気密材が離隔状態となるようにした請求項１記載の内外し引違い窓。
【発明の詳細な説明】
【０００１】
【発明の属する技術分野】
本発明は、内障子を室内側から外すことができる内外し引違い窓に関する。
【０００２】
【従来の技術】
内外し引違い窓としては落し込み内外しタイプと振り上げ内外しタイプの２種がある。
落し込み内外しタイプは、内障子下部を下枠に落し込み、内障子を室内側に傾倒して内障子上部を上枠よりも室内側として外すタイプである。
振り上げ内外しタイプは、内障子を持ち上げて上部を上枠内に押し込み、内障子を室内側に振り上げて内障子下部を下枠よりも室内側として外すタイプである。
【０００３】
【発明が解決しようとする課題】
落し込み内外しタイプは、内障子と外障子を引違いとして内障子の召合せ框と外障子の召合せ框を面内方向に離隔しないと内障子を内外しできない。
振り上げ内外しタイプは、結露受けアングル等を取付けた場合には内障子を内外しできない。
このために、落し込み内外しタイプと振り上げ内外しタイプの２種類の内外し引違い窓を製作準備し、その内外し引違い窓の使用パターンに対応していずれかのタイプの内外し引違い窓を取付けている。
したがって、２種類の内外し引違い窓を製作準備しなければならず製作、保管などが面倒であるし、コストが高くなる。
【０００４】
そこで、本発明は前述の課題を解決できるようにした内外し引違い窓を提供することを目的とする。
【０００５】
【課題を解決するための手段】
第１発明は、上枠と下枠と左右の縦枠を方形枠組みした窓枠に内障子と外障子を引違いに装着した引違い窓において、
前記内障子の最大持ち上げ量が内障子と下枠の掛かり代よりも大きく、内障子の落し込み量が内障子と上枠の重なり寸法よりも大きく、内下レールと外障子下部室内面との間の寸法が内障子の下部見込み寸法よりも大きいことを特徴とする内外し引違い窓である。
【０００６】
第２の発明は、第１の発明において、上枠、下枠、一方の縦枠に、内障子の室内面に圧着する内上横気密材、内下横気密材、内縦気密材が連続して装着され、
上枠、下枠、他方の縦枠に、外障子の室内面に圧着する外上横気密材、外下横気密材、外縦気密材が連続して装着され、
内障子の召合せ框に外障子の召合せ框の室内面に圧着する召合せ縦気密材が装着され、
内障子の召合せ框上部に、上摺動子を上下動自在に設け、この上摺動子に、上枠、外障子の召合せ框の室内面、内上横気密材、外上横気密材に圧着する上の気密材が設けられ、
内障子の召合せ下部に、下摺動子を上下動自在に設け、この下摺動子に、下枠、外障子の召合せ框の室内面、内下横気密材、外下横気密材に圧着する下の気密材が設けられ、
前記上摺動子、下摺動子は、クレセント錠と連動して上下動し、
クレセント錠を施錠状態とすると上摺動子がスプリングを介して上方、下摺動子がスプリングを介して下方にそれぞれ移動して上の気密材、下の気密材が圧着状態となり、クレセント錠を解錠状態とすると上摺動子が下方、下摺動子が上方にそれぞれ移動して上の気密材、下の気密材が離隔状態となるようにした内外し引違い窓である。
【０００９】
【作    用】
第１の発明によれば、内障子を持ち上げると内障子が下枠よりも上方位置となるし、内障子を落し込みすると内障子が上枠よりも下方位置となり、しかも、内下レールと外障子下部室内面との間に内障子下部を落し込みできる。
このようであるから、内障子を振り上げ内外しできるし、落し込み内外しでき、内外し引違い窓の使用パターンに対応した方式で内障子を内外しできる。
したがって、一種類の内外し引違い窓を製作準備すれば良いから、製作、保管などが容易である。
【００１０】
第２の発明によれば、内障子の室内面と上枠、下枠、右の縦枠の間を気密できるし、外障子の室内面と上枠、下枠、左の縦枠の間を気密でき、しかも、召合せ框間を召合せ縦気密材で気密できるし、内障子の召合せ框と上枠、下枠の間を気密できる。
しかも、クレセント錠を施錠状態とすれば上の気密材、下の気密材で召合せ框と上枠、下枠の間を気密できる。
したがって、内障子、外障子と窓枠の間を確実に気密できる。
また、クレセント錠を解錠状態とすれば上の気密材が上枠等から離れ、下の気密材が下枠等から離れるので、障子開閉時の抵抗が大きくならないし、上の気密材、下の気密材を損傷することがない。
【００１３】
【発明の実施の形態】
図１に示すように、窓枠１に内障子２と外障子３を面内方向に引違いに建て込んで引違い窓を構成している。前記窓枠１は上枠４と下枠５と一方の縦枠６と他方の縦枠７を方形状に連結してある。
【００１４】
前記内障子２、外障子３は上框１０、下框１１、召合せ框１２、戸当り框１３を方形状に連結し、その内部にガラス１４が装着してある。
【００１５】
図２に示すように、前記上枠４の室内寄りには内障子ガイド部、例えば内向凹部２０が形成され、室外寄りに外障子ガイド部、例えば外上レール２１が形成してある。上枠４の室内側垂下片２２に内上横気密材２３が室外側に向けて装着され、中間垂下片２４に外上横気密材２５が室外側に向けて装着してある。
【００１６】
前記下枠５は室内寄り横板２６と中間縦板２７と室外寄り横板２８で階段形状となった下枠上面２９を有し、この下枠上面２９に室内側立上り片３０、内下レール３１、横向片３２、外下レール３３が一体的に設けてある。前記室内側立上り片３０には内下横気密材３４が室内側に向けて装着され、横向片３２に外下横気密材３５が室外側に向けて装着してある。
【００１７】
図３に示すように、一方の縦枠６の室内側内向片３６に内縦気密材３７が室外側に向けて装着され、他方の縦枠７の中間内向片３８に外縦気密材３９が室外側に向けて装着してある。前記内上横気密材２３、内下横気密材３４、内縦気密材３７は連続し、前記外上横気密材２５、外下横気密材３５、外縦気密材３９は連続している。
【００１８】
内障子２と外障子３を閉じて室内側に引き寄せると各上框１０、下框１１、戸当り框１３の室内面が各気密材に圧着する。これと同時に内障子２の召合せ框１２の室外側に装着した召合せ縦気密材４０が外障子３の召合せ框１２の室内面に圧着する。
【００１９】
前記下枠５の室内寄り横板２６（室内側立上り片３０と内下レール３１の間）及び横向片３２における召合せ部分、つまり内・外障子２，３を閉じた時に召合せ框１２が位置する部分に召合せ部ふさぎ材４１、下部風下板４２がそれぞれ取付けてある。前記召合せ部ふさぎ材４１は内下横気密材３４に圧着している。上枠４の内向凹部２０の室内寄りにおける召合せ部分に召合せ気密材４３、召合せ引寄せ部材４４が取付けてある。
【００２０】
前記内障子２の召合せ框１２は図３に示すように中空部１２ａを有し、この中空部１２ａの上部、下部に図２に示すように上摺動子５０と下摺動子５１が設けてある。この上摺動子５０は図４に示す下方位置と図５に示す上方位置に上下動自在で、図６に示すようにヒレ状の室外寄り気密材５２、上部気密材５３、つまり上の気密材を備えている。
【００２１】
上摺動子５０を上方に移動すると図５と図６のように、室外寄り気密材５２が上枠４の中間垂下片２４、外上横気密材２５、召合せ引寄せ部材４４、外障子３の召合せ框１２室内面上部にそれぞれ圧着し、上部気密材５３が召合せ引寄せ部材４４、召合せ気密材４３にそれぞれ圧着し、上摺動子５０は召合せ縦気密材４０に圧着している。
【００２２】
これによって、内障子２と外障子３の召合せ上部と上枠４との間を確実に気密できる。しかも、上摺動子５０を図４に示すように下方に移動すれば室外寄り気密材５２、上部気密材５３が上枠４、外障子３に圧着しないから、内障子２を開閉する際の抵抗とならないし、各気密材が損傷することがない。
【００２３】
図５に示すように、上摺動子５０を上方に移動すると召合せ引寄せ部材４４に圧接して内障子２の上部が室内側に引寄せられるので、気密性が向上する。
【００２４】
前記下摺動子５１は図４に示す上方位置と図５に示す下方位置に上下動自在で、図７に示すようにヒレ状の室外寄り気密材５４、下部気密材５５、室内寄り気密材５６、つまり下の気密材を備えている。
【００２５】
下摺動子５１を下方に移動すると図５と図６のように、室外寄り気密材５４が外障子３の召合せ框１２室内面下部に圧着し、下部気密材５５が下部風止板４２に圧着し、室内寄り気密材５６が内下レール３１、召合せふさぎ部材４１にそれぞれ圧着し、下摺動子５１は召合せ縦気密材４０と外下横気密材３５に圧着している。
【００２６】
これによって、内障子２と外障子３の召合せ下部と下枠５との間を確実に気密できる。しかも、下摺動子５１を図４に示すように上方に移動すれば室外寄り気密材５４、下部気密材５５、室内寄り気密材５６が下枠５、外障子３に圧着しないから、内障子２を開閉する際の抵抗とならないし、各気密材が損傷することがない。
【００２７】
前記上摺動子５０と下摺動子５１は内障子２を開閉する時には前述のように、上枠４、下枠５と離隔する方向に移動して内障子２の開閉抵抗を小さくするようにしてある。例えば、クレセント錠６０を施錠すると上枠４、下枠５と接する方向に移動し、クレセント錠６０を解錠すると上枠４、下枠５と離れる方向に移動する。
【００２８】
具体的には、図３に示すようにクレセント錠６０の回転軸６１にピニオン６２を固着し、このピニオン６２に第１ラック６３と第２ラック６４を噛合する。図８に示すように第１・第２ラック６３，６４にロッド棒６５をそれぞれ固着し、このロッド棒６５を上摺動子５０、下摺動子５１の孔６６に上下摺動自在に嵌挿し、かつスプリング６７を介して上下摺動子５０，５１を上枠、下枠側に移動するようにしてある。
【００２９】
このようにすれば、クレセント錠６０を施錠するとピニオン６２で第１・第２ラック６３，６４が矢印方向に移動し、ロッド棒６５、スプリング６７を介して上摺動子５０を上枠４に押しつけ、下摺動子５１を下枠５に押しつける。
クレセント錠６０を解錠するとピニオン６２で第１・第２ラック６３，６４が矢印と反対方向に移動し、ロッド棒６５のフランジ６５ａによって上下摺動子５０，５１が上枠４、下枠５と離れる方向に移動する。
【００３０】
図３と図９に示すように、下枠５の横向片３２における召合せ部分よりも他方の縦枠７（外障子３の戸当り側）寄り部分に排水穴６８が形成してある。この排水穴６８は排水弁６９で閉塞されて強風雨等で雨水が排水穴６９から室内に吹きこむことがないようにしてある。
【００３１】
このようであるから、外障子３の室内面に生じた結露水は下枠５の横向片３２に流れ落ち、排水穴６８から室外寄り横板２８に落下し、外下レール３３の端部切欠き部分より室外に排出される。
【００３２】
図３に示すように、下枠５の内下レール３１における他方の縦枠７寄りに内障子ストッパー８０が取付けてある。この内障子ストッパー８０は内下レール３１に沿って摺動自在で、かつ外れないように取付けてあり、この内障子ストッパー８０を内下レール３１に沿って摺動して内下レール３１の切欠部３１ａから取り外しできる。
【００３３】
前記下枠５の室内側立上り板３０に形成した内下横気密材３４の装着部８１における他方の縦枠７寄り部分は切り欠きしてあり、その切欠部８１ａまで内下横気密材３４が装着してある。この内下横気密材３４の長手方向端部寄り部分が内障子ストッパー８０で被覆されている。
【００３４】
このようであるから、内障子ストッパー８０を摺動して切欠部３１ａから取り外しすることで、内下横気密材３４を外したり、装着できる。これによって内下横気密材３４を容易に交換できる。
【００３５】
図３に示すように、下枠５の外下レール３３における一方の縦枠６寄りに外障子ストッパー８２が取付けてある。この外障子ストッパー８２は外下レール３３に沿って摺動自在で、かつ外れないように取付けてあり、この外障子ストッパー８２を外下レール３３に沿って摺動して外下レール３３の切欠部３３ａから取り外しできる。
【００３６】
前記下枠５の横向片３２に形成した外下横気密材３５の装着部８３における一方の縦枠６寄り部分は切り欠きしてあり、その切欠部８３ａまで外下横気密材３５が装着してある。この外下横気密材３５の長手方向端部寄り部分が外障子ストッパー８２で被覆されている。
【００３７】
このようであるから、外障子ストッパー８２を摺動して切欠部３３ａから取り外しすることで、外下横気密材３５を外したり、装着できる。これによって外下横気密材３５を容易に交換できる。
【００３８】
次に召合せ部の上下と上枠４、下枠５の間を気密する他の実施の形態を説明する。
前記上摺動子５０、下摺動子５１を前述の図４に示す位置で固定し、各気密材を図１０、図１１に示すように、常時は収縮した状態で、内部に空気圧を圧送することで膨張するふうせん状とし、その内部をシリンダ７０のシリンダ室７１にホース７２で連通する。このシリンダ７０のピストンロッド７３を前述のロッド棒６５に連結する。
【００３９】
クレセント錠６０を解錠状態とすると図１０に示すようシリンダ７０のピストンロッド７３が伸び作動してシリンダ室７１の容積が大きくなり、各気密材の内部空気がシリンダ室７１に吸引されて各気密材が収縮した状態となる。これによって、各気密材が上枠４、下枠５等と離隔する。
【００４０】
クレセント錠６０を施錠状態とすると図１１に示すようにシリンダ７０のピストンロッド７３が縮み作動してシリンダ室７１内の容積が小さくなり、各気密材の内部に空気が圧送されて膨張する。これによって、各気密材が上枠４、下枠５等と圧着する。
【００４１】
図２に示すように、上枠４と内障子２の重なり寸法をａ、上枠４の内向凹部２０の深さ（図２においては、召合せ引寄せ部材４４までの深さ）をｂ、下枠５と内障子２の掛り代をｃ、内下レール３１の上端面から下部風止板４２上面までの寸法をｄとすると、ａ＜ｂ、ｃ＜ｄ、ｄ＞ａ、ｂ＞ｃとしてある。また、内下レール３１と外障子３の下框１１の間の寸法ｅは内障子２の下框１１の下部見付け寸法ｆよりも大きい。
【００４２】
このようであるから、内障子２を持ち上げて上框１０を上枠４の内向凹部２０内に押し込みすると下框１１は内下レール３１よりも上方位置となり、この状態で内障子２の下部を室内側に振り上げて内外しできる。つまり、振り上げ内外しできる。
【００４３】
また、内障子２と外障子３を引違いとして内障子２の召合せ框１２を外障子３の戸当り框１３よりも他方の縦枠７寄りとし、かつ内障子２の戸当り框１３を外障子３の召合せ框１２と戸当り框１３の間に位置させる。
この状態で内障子２を持ち上げて前述のように下框１１を内下レール３１よりも上方位置とし、その内障子２の下部を室外側に移動して横向片３２（下部風止板４２）上に落し込みする。
これによって、上框１０は上枠４よりも下方位置となり、内障子２を室内側に傾倒して内障子２の上部を上枠４よりも室内寄りとして外す。
つまり、落し込み内外しする。
【００４４】
すなわち、図２に示すように、内障子２の最上持ち上げ量は内障子２と下枠５の掛かり代よりも大きく、内障子２の落し込み量は内障子２と上枠４の重なり寸法よりも大きく、内下レール３１と外障子３室内面下部（下框１１下部室内面）との間の寸法が内障子２の下部見込み寸法よりも大きい。
【００４５】
図１２に示すように、上枠４に内上レール４ａを設けて内障子ガイド部とし、下框１１に内下横気密材３４を装着しても良く、この場合でもａ＜ｂ、ｃ＜ｄ、ｄ＞ａ、ｂ＜ｃ、ｅ＜ｆとすることで内障子２を振り上げ内外し、落し込み内外しできる。
【００４６】
次に、窓枠１に２つの内障子２と２つの外障子３を装着した４枚建ての引違い窓における２つの内障子２の戸当り框１３相互の突き合せ部の気密について説明する。
図１３に示すように、窓枠１に２つの内障子２と２つの外障子３を装着し、２つの内障子２の戸当り框１３相互を突き合せると共に、２つの外障子３の戸当り框１３を一方の縦枠６、他方の縦枠７に当接する４枚建ての引違い窓においては、２つの内障子２の戸当り框１３相互の突き合せ部においては引寄せ力が不足する。
【００４７】
図１４に示すように、上枠４の内向凹部２０における一方の内障子２の戸当り框１３と対向した位置に引寄せ片９０を取付ける。図１４と図１５に示すように、一方の内障子２の戸当り框１３の中空部１３ａの上部寄りに上摺動子９１を上下動自在に設け、下部寄りに下摺動子９２を上下動自在に設ける。その戸当り框１３に上下動機構９３を設ける。
【００４８】
前記上下動機構９３は図１６と図１７に示すように、中空部１３ａ内に取付けた矩形状のハウジング９４と上部ロッド９５と下部ロッド９６と作動体９７とリンク９８を備えている。
前記ハウジング９４の対向した一対の第１板９９には上部長孔１００と下部長孔１０１と中間部長孔１０２がそれぞれ形成してある。上部長孔１００は上下方向に長く、下部長孔１０１と上下方向に長く、中間部長孔１０２は左右方向に長い。前記ハウジング９４の一方の第２板１０３の上下中間には開口部１０４が形成してある。
【００４９】
前記上部ロッド９５の上部は上部摺動子９１に連結され、下部に第１リンク１０５が第１ピン１０６で連結してある。この第１ピン１０６が前記ハウジング９４の上部長孔１００に嵌挿している。前記下部ロッド９６の下部は下部摺動子９２に連結され、上部に第２リンク１０７が第２ピン１０８で連結してある。この第２ピン１０８が前記ハウジング９４の下部長孔１０１に嵌挿している。
【００５０】
前記第１リンク１０５と第２リンク１０７は第３ピン１０９で連結されてリンク９８を形成している。その第３ピン１０９は作動体９７に取付けてあると共に、前記ハウジング９４の中間部長孔１０２に嵌挿している。前記作動体９７はハウジング９４の開口部１０４、戸当り框１３の面内方向外側面、つまり対向面１３ｂに形成した開口部１１０に嵌挿している。
【００５１】
前記上部ロッド９５の下部と下部ロッド９６の上部に亘ってスプリング１１１が連結してある。このスプリング１１１で上部ロッド９５は下方、下部ロッド９６は上方に移動して第１リンク１０５と第２リンク１０７は図１６に示すようにくの字形状となり、作動体９７が戸当り框１３の対向面１３ｂよりも突出している。
【００５２】
図１５に示すように、一方の戸当り框１３の対向面１３ｂには一対の気密用突片１１２が長手方向に連続して一体的に設けてあり、他方の戸当り框１３の対向面１３ｂには一対の移動用突片１１３が長手方向に連続して一体的に設けてあると共に、一対の突き合せ縦気密材１１４が装着してある。
【００５３】
このようであるから、内障子２を開閉する時には作動体９７が気密用突片１１２と離隔し、上部ロッド９５、下部ロッド９６はスプリング１１１で下方、上方に移動している。これにより、上部摺動子９１は引寄せ片９０と離れ、下部摺動子９２は内下レール３１と離れる。したがって、内障子２の開閉力が大きくならない。
【００５４】
２つの内障子２を閉じると図１８に示すように作動体９７と移動用突片１１３が突き当り、作動体９７は押し込み方向に移動して図１９に示すように第１リンク１０５と第２リンク１０７がほぼ一直線となり、上部ロッド９５が上方に移動し、下部ロッド９６が下方に移動する。
【００５５】
これによって、図２０に示すように上部摺動子９１が引寄せ片９０に当接して戸当り框１３の上部が室内側に引寄せられる。下部摺動子９２が内下レール３１に当接して戸当り框１３の下部が室内側に引寄せられる。
【００５６】
これと同時に一対の気密用突片１１２が一対の突き合せ縦気密材１１４に圧着して突き合せ部を気密する。
【００５７】
以上のことにより、２つの内障子２の戸当り框１３の突き合せ部を確実に気密することができる。
なお、図１３において左右の外障子３を固定した内動引違い窓の場合にも前述のように２つの内障子２の戸当り框１３相互の突き合せ部を気密しても良い。
【００５８】
【発明の効果】
請求項１に係る発明によれば、内障子を持ち上げると内障子が下枠よりも上方位置となるし、内障子を落し込みすると内障子が上枠よりも下方位置となり、しかも、内下レールと外障子下部室内面との間に内障子下部を落し込みできる。
このようであるから、内障子を振り上げ内外しできるし、落し込み内外しでき、内外し引違い窓の使用パターンに対応した方式で内障子を内外しできる。
したがって、一種類の内外し引違い窓を製作準備すれば良いから、製作、保管などが容易である。
【００５９】
請求項２に係る発明によれば、内障子の室内面と上枠、下枠、右の縦枠の間を気密できるし、外障子の室内面と上枠、下枠、左の縦枠の間を気密でき、しかも、召合せ框間を召合せ縦気密材で気密できるし、内障子の召合せ框と上枠、下枠の間を気密できる。
しかも、クレセント錠を施錠状態とすれば上の気密材、下の気密材で召合せ框と上枠、下枠の間を気密できる。
したがって、内障子、外障子と窓枠の間を確実に気密できる。
また、クレセント錠を解錠状態とすれば上の気密材が上枠等から離れ、下の気密材が下枠等から離れるので、障子開閉時の抵抗が大きくならないし、上の気密材、下の気密材を損傷することがない。
【図面の簡単な説明】
【図１】内外し引違い窓の内観図である。
【図２】図１の縦断面図である。
【図３】図１の横断面図である。
【図４】上下摺動子が上枠、下枠から離れた方向に移動した状態の縦説明図である。
【図５】上下摺動子が上枠、下枠に接近した方向に移動した状態の縦説明図である。
【図６】上摺動子部分の平面図である。
【図７】下摺動子部分の底面図である。
【図８】上下摺動子を移動する機構の説明図である。
【図９】下枠の斜視図である。
【図１０】上摺動子、下摺動子に設けた気密材が収縮した状態の縦説明図である。
【図１１】上摺動子、下摺動子に設けた気密材が膨張した状態の縦説明図である。
【図１２】第２の実施の形態を示す内外し引違い窓の縦断面図である。
【図１３】４枚建て引違い窓の概略平面図である。
【図１４】内障子の戸当り框部分の縦断面図である。
【図１５】２つの内障子の戸当り框部分の横断面図である。
【図１６】上下動機構の縦断面図である。
【図１７】上下動機構の分解斜視図である。
【図１８】突き合せ状態の横断面図である。
【図１９】上下動機構の動作説明図である。
【図２０】戸当り框の引寄せ状態の縦断面図である。
【符号の説明】
１…窓枠
２…内障子
３…外障子
４…上枠
５…下枠
６…左の縦枠
７…右の縦枠
１０…上框
１１…下框
１２…召合せ框
１３…戸当り框
２３…内上横気密材
２５…外上横気密材
３４…内下横気密材
３５…外下横気密材
３７…内縦気密材
３９…外縦気密材
４０…召合せ縦気密材
５０…上摺動子
５１…下摺動子
６０…クレセント錠。
【図１】
0003543260.tif 000002
【図２】
0003543260.tif 000003
【図３】
0003543260.tif 000004
【図４】
0003543260.tif 000005
【図５】
0003543260.tif 000006
【図６】
0003543260.tif 000007
【図７】
0003543260.tif 000008
【図８】
0003543260.tif 000009
【図９】
0003543260.tif 000010
【図１０】
0003543260.tif 000011
【図１１】
0003543260.tif 000012
【図１２】
0003543260.tif 000013
【図１３】
0003543260.tif 000014
【図１４】
0003543260.tif 000015
【図１５】
0003543260.tif 000016
【図１６】
0003543260.tif 000017
【図１７】
0003543260.tif 000018
【図１８】
0003543260.tif 000019
【図１９】
0003543260.tif 000020
【図２０】
0003543260.tif 000021